(57)【要約】      （修正有）【課題】省電力状態の間に手差し給紙部の用紙が変更されても、省電力状態から復帰したときにユーザが手差し用紙を適正に設定できる画像形成装置を提供する。【解決手段】第１の電力状態から、消費電力がより低い第２の電力状態に移行する際に、手差し給紙部にセットされた手差し用紙を検知するセンサを含む複数のセンサの検知信号の状態を不揮発性メモリに記憶し、前記第２の電力状態から前記第１の電力状態に移行する際、当該第１の電力状態に移行する際の手差し用紙を検知するセンサの検知信号の状態と、不揮発性メモリに記憶されている手差し用紙を検知するセンサの検知信号の状態とが一致するかどうかを判定し、一致しないと判定すると、手差し用紙をユーザに設定させるための設定画面を表示部に表示する。【選択図】図４
2015041877.tif 000002
【特許請求の範囲】
【請求項１】
第１の電力状態と、当該第１の電力状態より消費電力が低い第２の電力状態を有する画像形成装置であって、
前記第１の電力状態から前記第２の電力状態に移行する際に、手差し給紙部にセットされた手差し用紙を検知するセンサを含む複数のセンサの検知信号の状態を記憶する不揮発性記憶手段と、
前記複数のセンサの検知信号の論理和を取った信号を含む割り込み信号により前記第２の電力状態から前記第１の電力状態に移行する際、当該第１の電力状態に移行する際の前記手差し用紙を検知するセンサの検知信号の状態と、前記不揮発性記憶手段により記憶した前記手差し用紙を検知するセンサの検知信号の状態とが一致するかどうかを判定する判定手段と、
前記判定手段により一致しないと判定すると、前記手差し用紙をユーザに設定させるための設定画面を表示部に表示するように制御する制御手段と、
を有することを特徴とする画像形成装置。
【請求項２】
前記手差し用紙を検知するセンサは用紙サイズを検出するセンサを含み、前記判定手段は、前記手差し給紙部にセットされた用紙のサイズが変更されているかどうかを判定することを特徴とする請求項１に記載の画像形成装置。
【請求項３】
前記手差し用紙を検知するセンサは、前記手差し給紙部における用紙の有無を検出するセンサを含み、前記判定手段は、前記手差し給紙部にセットされた用紙が、用紙有りから用紙無し、或いは用紙無しから用紙有りに変更されているかどうかを判定することを特徴とする請求項１に記載の画像形成装置。
【請求項４】
前記設定画面は、前記手差し用紙の用紙サイズ及び用紙の種類をユーザに選択或いは設定させるための画面であることを特徴とする請求項１乃至３のいずれか１項に記載の画像形成装置。
【請求項５】
第１の電力状態と、当該第１の電力状態より消費電力が低い第２の電力状態を有する画像形成装置を制御する制御方法であって、
記憶手段が、前記第１の電力状態から前記第２の電力状態に移行する際に、手差し給紙部にセットされた手差し用紙を検知するセンサを含む複数のセンサの検知信号の状態を不揮発性メモリに記憶する記憶工程と、
判定手段が、前記複数のセンサの検知信号の論理和を取った信号を含む割り込み信号により前記第２の電力状態から前記第１の電力状態に移行する際、当該第１の電力状態に移行する際の前記手差し用紙を検知するセンサの検知信号の状態と、前記不揮発性メモリに記憶した前記手差し用紙を検知するセンサの検知信号の状態とが一致するかどうかを判定する判定工程と、
制御手段が、前記判定工程で一致しないと判定すると、前記手差し用紙をユーザに設定させるための設定画面を表示部に表示するように制御する制御工程と、
を有することを特徴とする画像形成装置の制御方法。
【請求項６】
コンピュータを、請求項１乃至４のいずれか１項に記載の画像形成装置として機能させるためのプログラム。
【発明の詳細な説明】
【技術分野】
【０００１】
本発明は、画像形成装置、その制御方法、及びプログラムに関するものである。
【背景技術】
【０００２】
従来の画像形成装置では、様々な用紙サイズ及び用紙タイプの用紙を給紙させるために手差しトレイを備えている。そしてユーザが手差しトレイに用紙を載置すると、その手差しトレイの用紙検知センサが用紙を検知し、その用紙のサイズや用紙タイプをユーザに指定させるために、ＵＩ画面に手差し用紙の設定登録画面を表示する。この手差し用紙の設定登録画面は、手差しトレイに用紙が無い状態から、用紙が存在する状態に変わったときに表示される。そしてユーザは、その設定登録画面を介して手差しトレイに載置した用紙タイプや用紙サイズを設定することにより、手差しトレイから給紙された用紙への印刷が可能となる。また手差しトレイが自動用紙サイズ検知機能を備えている場合は、ユーザが手差しトレイに用紙を載置すると、検知した用紙サイズに最も近い定型サイズを推定し、手差し用紙の設定登録画面で、その推定した定型サイズをデフォルトで表示できる。その場合、ユーザは手差しトレイに用紙を載置し、設定登録画面を介して用紙タイプを設定するだけで手差し用紙の登録を完了することがきる。
【０００３】
また従来の画像形成装置では、ユーザからの動作要求が一定時間以上ない場合、プリンタエンジン、スキャナエンジン、操作部の表示部などの各ハードウェアへの電力供給を停止して省電力モードに移行する省電力機能を備えている。この省電力モードでは、スタンバイモードへの復帰要因である各種センサ等への通電を継続し、省電力モードからの復帰要因となるイベントを検知するとスタンバイモードへ移行している。この復帰要因となるイベントには、スリープからの復帰を指示する復帰ボタン以外に、手差しトレイでの用紙検知、圧板開閉、ネットワークパケットの受信、前ドアオープンの検知などがある。そして、これら復帰要因となるイベントを検知するセンサからの割り込み信号を主制御部のＣＰＵに入力して、復帰要因となるイベントの発生を検知している。
【０００４】
ここで主制御部のＣＰＵへの入力ピン数を減らすために、いくつかのセンサからの割り込み信号の論理和を取ってＣＰＵに供給している。このため、この論理和が取られた信号からは、どの復帰要因によるイベントであるか判別ができない。例えば、手差しトレイでの用紙検知信号と他のセンサの信号との論理和を取った信号がＣＰＵに供給されている場合を考える。このとき例えば省電力状態のときに手差しトレイに載置されている用紙を交換し、その後、手差しトレイでの用紙検知以外の要因で省電力状態から復帰すると、手差し用紙の設定登録画面が表示されなくなる。
【０００５】
特許文献１には、スリープ状態における給紙カセット開閉時間を計測し、一定時間以上、給紙カセットが開けられていることを検知すると用紙の変更がされたと判定しその情報を保存する技術が記載されている。
【先行技術文献】
【特許文献】
【０００６】
【特許文献１】特開２０１１−１９３１１３号公報
【発明の概要】
【発明が解決しようとする課題】
【０００７】
ここで省電力状態に移行する前に手差しトレイに用紙がセットされていて、省電力状態で、ユーザが手差しトレイの用紙を別の種類の用紙に置き換えたことにより省電力状態から復帰した場合を考える。この場合、手差しトレイでの用紙検知信号と他のセンサの信号との論理和を取った信号がＣＰＵに供給されているため、ＣＰＵは、何が原因で省電力状態から復帰したか認識できない。このような場合は、省電力状態から復帰したときに、手差しトレイにセットされた用紙の設定登録画面が表示されない。そのため、手差しトレイの用紙の情報が、新たにセットされた用紙の情報に更新されないため、印刷ジョブが設定した印刷条件とは異なる種類の用紙が手差しトレイから給紙されて印刷されるおそれがある。このような場合は、その用紙に印刷された画像の品質が低下し、用紙を無駄に使用してしまうという問題があった。
【０００８】
本発明の目的は、上記従来技術の問題点を解決することにある。
【０００９】
本発明の特徴は、省電力状態の間に手差し給紙部の用紙が変更されても、省電力状態から復帰したときにユーザが手差し用紙を適正に設定できるようにする技術を提供することにある。
【課題を解決するための手段】
【００１０】
上記目的を達成するために本発明の一態様に係る画像形成装置は以下のような構成を備える。即ち、
第１の電力状態と、当該第１の電力状態より消費電力が低い第２の電力状態を有する画像形成装置であって、
前記第１の電力状態から前記第２の電力状態に移行する際に、手差し給紙部にセットされた手差し用紙を検知するセンサを含む複数のセンサの検知信号の状態を記憶する不揮発性記憶手段と、
前記複数のセンサの検知信号の論理和を取った信号を含む割り込み信号により前記第２の電力状態から復帰する際、当該第１の電力状態に移行する際の前記手差し用紙を検知するセンサの検知信号の状態と、前記不揮発性記憶手段により記憶した前記手差し用紙を検知するセンサの検知信号の状態とが一致するかどうかを判定する判定手段と、
前記判定手段により一致しないと判定すると、前記手差し用紙をユーザに設定させるための設定画面を表示部に表示するように制御する制御手段と、を有することを特徴とする。
【発明の効果】
【００１１】
本発明によれば、省電力状態からの復帰が、センサ信号の論理和を取った割り込み信号でなされる場合であっても、手差し給紙部の用紙検知による復帰かどうかを判定し、そうであれば手差し用紙を設定するための設定画面を表示させる。これにより、省電力状態の間に手差し給紙部の用紙が変更されても、省電力状態から復帰したときにユーザが手差し用紙を適正に設定できるという効果がある。
【図面の簡単な説明】
【００１２】
【図１】本発明の実施形態に係る画像形成装置のハードウェア構成を説明するブロック図。
【図２】実施形態に係る画像形成装置のリーダ部及びプリンタ部の断面図。
【図３】実施形態に係る画像形成装置の操作部の上面図。
【図４】実施形態に係る画像形成装置が省電力状態に移行し、その省電力状態から復帰したときの処理を説明するフローチャート。
【図５】図４のＳ４１２で操作部のタッチパネルに表示される手差し用紙の用紙設定登録画面の一例を示す図。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
図１は、本発明の実施形態に係る画像形成装置１００のハードウェア構成を説明するブロック図である。
【００１５】
画像形成装置１００は、イーサネット等のＬＡＮを介してコンピュータ１８０に接続されている。また画像形成装置１００は、画像データの読取処理を行うリーダ部１２０と、画像データの出力処理を行うプリンタ部１３０を有している。また、画像データの入出力操作を行うキーボード及び画像データや各種機能の表示／設定などを行う液晶パネルを備えた操作部１２６を有している。更にリーダ部１２０から入力した画像データや、ＬＡＮを介してコンピュータ１８０より受信したコードデータから生成される画像データを保存できるＨＤＤ（ハードディスクドライブ）１１６を有している。
【００１６】
リーダ部１２０は、原稿を搬送する原稿給紙ユニット１２１と、原稿の画像を光学的に読み取って画像データに変換するスキャナユニット１２２を有している。プリンタ部１３０は、用紙を収容する複数の給紙カセットを備えた給紙ユニット１３２を備える。また、プリンタ部１３０は、画像データを用紙に転写、及び定着する。プリンタ制御部１３１は制御部１１０との通信の制御を行う。排紙ユニット１３３は、印刷済の用紙を排紙し、それら印刷済の用紙にソート処理やステイプル処理を施す。またプリンタ部１３０は前ドアに開閉センサ１３５、用紙検知センサ１３６を備えた手差し給紙ユニット（手差し給紙部）１３４を備えている。プリンタ制御部１３１は、これらセンサからの検知信号を受け取ると、プリンタ部１３０の前ドアの状態、手差し給紙部１３４の状態を制御部１１０に通知する。
【００１７】
制御部１１０は、例えば、リーダ部１２０を制御して原稿の画像データを読込み、プリンタ部１３０を制御して、画像データを用紙に印刷するコピー機能を提供する。またリーダ部１２０から入力した画像データをコードデータに変換し、ネットワークを介してコンピュータ１８０へ送信するスキャナ機能を提供する。またコンピュータ１８０からネットワークを介して受信したコードデータを画像データに変換し、プリンタ部１３０に出力するプリンタ機能を提供する。
【００１８】
制御部１１０は、複数のジョブのデータを記憶可能なハードディスク１１６，ＣＰＵ１１１，ＲＡＭ（主記憶装置）１１２，ＲＯＭ１１３を具備する。ＣＰＵ１１１は、ＲＯＭ１１３やハードディスク１１６に格納されているプログラムを順次ＲＡＭ１１２に読出して実行することで、後述する各種機能を実現する。またＣＰＵ１１１は、リーダ部１２０やプリンタ部１３０と接続し、一方ではＬＡＮや電話回線と接続することで、コードデータ、画像データ、デバイス情報などの入出力を制御する。ＲＡＭ１１２は、ＣＰＵ１１１が動作するためのシステムワークメモリを提供し、画像データを一時記憶するための画像メモリとしても使用される。ＲＯＭ１１１はブートＲＯＭとして機能し、システムのブートプログラムを格納している。ＨＤＤ１１６は、システムソフトウェアや画像データなどを格納することができる。汎用画像処理部１２４は、ＲＡＭ１１２に格納した画像データを、例えば、縮小等の処理を行い、再度ＲＡＭ１１２に格納することが可能な画像処理ブロックを有する。これらのデバイスはシステムバス１１７上に配置される。リーダ部Ｉ／Ｆ１１４はリーダ部１２０と接続される。プリンタ部Ｉ／Ｆ１１５はプリンタ部１３０と接続される。制御部１１０は、これらのＩ／Ｆを通じて画像データの同期系／非同期系の変換や制御を行う。ＮＩＣ（Ｎｅｔｗｏｒｋ  Ｉｎｔｅｒｆａｃｅ  Ｃａｒｄ）１２３はＬＡＮに接続し、画像データや装置情報の入出力を行う。モデム１２７は電話回線に接続されて画像データや装置情報の入出力を行う。
【００１９】
電源部１４０は、画像形成装置１００の各部に電力を供給する。装置の電源がオフの時ＡＣ電源はスイッチ１５０により絶縁されている。スイッチ１５０をオンにすることでＡＣ−ＤＣコンバータ１４１にＡＣ電源が供給されてＤＣ電源が生成される。電源部１４０は、ＣＰＵ１１１の指示に従って、制御部１１０、リーダ部１２０、プリンタ部１３０、汎用画像処理部１２４それぞれへの電力供給を独立して制御できる。即ち、ＣＰＵ１１１はＡＣ−ＤＣコンバータ１４１に接続された各スイッチ１４２を作動させて、それぞれへの電力供給をオン／オフすることができる。ＣＰＵ１１１はこれらのスイッチ１４２を用いて、適切に画像形成装置１００の必要な箇所に電力を供給することにより、装置をスリープ状態（省電力状態）、スタンバイ状態にするように電力制御を行う。
【００２０】
スリープ状態は、画像形成装置１００の消費電力を可能な低下させた省電力モードである。ＣＰＵ１１１の周辺デバイスは一般的なサスペンド状態（ＡＣＰＩ−Ｓ３等）とし、ジョブやユーザ操作の検出可能な部分（スリープ時電力）にのみ通電を行う。これにより、装置全体の消費電力を非常に少ない電力状態にすることができる。具体的には、ＣＰＵ１１１は、画像形成装置１００の状態を不揮発性記憶部（例えば、ＨＤＤ１１６のような不揮発性メモリ）に格納し、スイッチ１４２を制御して制御部１１０への電力供給を遮断する。この状態ではＣＰＵ１１１は動作しなくなるが、スリープ時電力がハード的に供給されるため、ＣＰＵ１１１は、ジョブの投入やユーザの操作が検出できる状態となる。例えば、ＣＰＵ１１１がＮＩＣ１２３からのデータ受信、操作部１２６での操作、手差し用紙検知センサ１３６、前ドア開閉センサ１３５からの信号を検出すると、制御部１１０への電力供給がハード的にオンされてスタンバイ状態となる。このときＣＰＵ１１１は、ＨＤＤ１１６に格納した装置の状態を読み出し、その読み出した状態を各部に再設定して制御部１１０への電力供給がオフになる直前の状態にしてスタンバイ状態へ移行する。尚、スリープ状態への移行条件は、例えばユーザからの動作要求が予め設定した時間内に発生しないなどがある。スリープ状態では、スリープ状態からの復帰要因となるデバイス及びセンサに通電しておき、いずれかのデバイス或いはセンサからの信号をＣＰＵ１１１が検出することでスタンバイ状態へと移行する。このとき、これら各種センサからの割り込み信号が論理和を取られてＣＰＵ１１１に供給されていることは前述したとおりである。
【００２１】
本実施形態では、プリンタ部１３０からのスリープ状態からの復帰要因である、手差し給紙部１３４の用紙検知センサ３０１の信号と、前ドア開閉センサ１３５の検出信号とが論理和を取られてＣＰＵ１１１に供給されている。つまり、スリープ状態からの復帰時に限っては、その割り込み信号だけでは、ＣＰＵ１１１は、その復帰要因が手差し用紙検知センサ１３６によるものか、或いは前ドア開閉センサ１３５によるものか判別できない。
【００２２】
スタンバイ状態は、制御部１１０に電力が供給されている状態である。この状態では、ＣＰＵ１１１は、操作部１２６からのオペレータによる操作、ＮＩＣ１２３からのネットワーク経由のジョブ等を受け付けることができる。ＣＰＵ１１１は、受付けたジョブに応じて、使用するデバイスに電力を供給した後に、所定のジョブを実行するように制御する。
【００２３】
図２は、実施形態に係る画像形成装置１００のリーダ部１２０及びプリンタ部１３０の断面図である。
【００２４】
まず、リーダ部１２０について説明する。
【００２５】
原稿給紙ユニット（ＤＦユニット）１２１は、原稿を先頭から順に１枚ずつプラテンガラス２１１上へ給送し、原稿の読み取り動作終了後、プラテンガラス２１１上の原稿を排出トレイ２１９に排出する。原稿がプラテンガラス２１１上に搬送されると、ランプ２１２を点灯し、光学ユニット２１３の移動を開始させて原稿を露光走査する。この時の原稿からの反射光は、ミラー２１４，２１５，２１６及びレンズ２１７によってＣＣＤイメージセンサ（以下ＣＣＤ）２１８へ導かれる。このようにして、走査された原稿の画像はＣＣＤ２１８によって読み取られる。ＣＣＤ２１８から出力される画像信号は、所定の処理が施された後、画像データとして制御部１１０へ出力される。
【００２６】
次にプリンタ部１３０について説明する。
【００２７】
レーザドライバ３２１はレーザ発光部３２２を駆動し、制御部１１０から出力された画像データに応じたレーザ光をレーザ発光部３２２に発光させる。このレーザ光は感光ドラム３２３を照射し、感光ドラム３２３の表面には、そのレーザ光に応じた潜像が形成される。この感光ドラム３２３の潜像の部分には現像器３２４によって現像剤が付着される。プリンタ部１３０は、給紙ユニット１３２としてそれぞれ引き出し状のカセット３１１、カセット３１２、カセット３１３、カセット３１４を有している。ユーザは、それぞれの給紙カセットを引き出し、その引き出したカセットに用紙を補給し、カセットを閉めることによって用紙補給を行う。同様にプリンタ部１３０は、手差し給紙部１３４を有し、用紙を手差し給紙部１３４に載置することで用紙補給を行う。また、手差し給紙部１３４は、手差しトレイの用紙の有無を検知する手差し用紙検知センサ１３６と不図示の手差し用紙のサイズ検知センサを備える。
【００２８】
プリンタ部１３０は、カセット３１１〜３１４、及び、手差し給紙部１３４のいずれかから記録紙を給紙し、転写部３２５へ搬送路３３１によって搬送する。転写部３２５では感光ドラム３２３に付着された現像剤を記録紙に転写する。現像剤の載った記録紙は搬送ベルト３２６によって定着部３２７に搬送され、定着部３２７の熱と圧力により現像剤が記録紙に定着される。その後、定着部３２７を通過した記録紙は搬送路３３５、搬送路３３４を通って排出される。このとき記録面を反転して排出する場合には、搬送路３３６、搬送路３３８まで導かれ、そこから記録紙を逆方向に搬送し、搬送路３３７、搬送路３３４を通って排出される。また両面記録が設定されている場合は、定着部３２７を通過した後、フラッパ３２９によって、記録紙は搬送路３３６から搬送路３３３に導かれ、その後記録紙を逆方向に搬送し、フラッパ３２９によって、搬送路３３８、再給紙搬送路３３２へ導かれる。再給紙搬送路３３２へ導かれた記録紙は上述したタイミングで搬送路３３１を通って転写部３２５へ給紙される。片面、両面記録にかかわらず、搬送路３３４より排出された記録紙は排紙ユニット１３３へ搬送される。
【００２９】
排紙ユニット１３３へ搬送された記録紙は、まずバッファユニット５０１へ送られる。ここでは、場合に応じて搬送されてきた記録紙をバッファローラに巻きつけてバッファリングする。例えば、この下流で行われるステイプル等の処理に時間がかかる場合は、このバッファユニット５０１を利用することによって本体から搬送されてくる記録紙の搬送速度を一定に保つことができ、スループットの向上に役立たせることが可能である。そして記録紙はこの後、上流排出ローラ対５０２、下流排出ローラ対５０３の回転により、搬送路５１０を経由して排紙トレイ５０７に排出される。
【００３０】
また、ステイプルモードの場合は、上流排出ローラ対５０２で搬送され記録紙の後端がこれを抜けた直後、ローレットベルト５０４によって引き戻され、スタックトレイ５０５に排出される。そして、所定枚数の記録紙が積載されると、ステイプルユニット５０６によってステイプル処理が行われ、下流排出ローラ対５０３の回転により排紙トレイ５０７に排出される。また、シフトソート時にはスタックトレイ５０５に積載された用紙を左右方向にずらして排紙トレイ５０７に排出することによって、印刷された用紙の部の切れ目を表現する。
【００３１】
通常のステイプルは、搬送路３３４より排出された記録紙をスタックトレイ５０５に積載した後ステイプルする。それとは別に、ユーザが紙束をスタックトレイ５０５に挿入し、紙束検知センサ５２６が紙束を検知すると、スタックトレイ５０５の紙束に対してステイプルユニット５０６でステイプルするマニュアルステイプルモードがある。このマニュアルステイプルモードへは、マニュアルステイプルモードボタン５２０、又は、制御部１１０からの指示によって移行する。
【００３２】
図３は、実施形態に係る画像形成装置１００の操作部１２６の上面図である。
【００３３】
タッチパネル３０００は、主なモード設定、状況表示を行うとともに、ユーザによる操作を受け付ける。テンキー３００１は０〜９までの数値キーを有し、電話番号やコピーの部数等の設定に使用される。ＩＤキー３００２は、この画像形成装置１００が部門で管理されている場合に、その部門番号と暗証モードを入力する際に使用される。リセットキー３００３は、設定されたモード等をリセットするために使用される。ガイドキー３００４は各モードの説明画面を表示するためのキーである。ユーザモードキー３００５は、ユーザモード画面を表示するために使用される。割り込みキー３００６は、割り込みコピーを行う場合に使用される。スタートキー３００７は、コピー動作をスタートさせるためのキーで、ストップキー０８は、実行中のコピージョブを中止させるためのキーである。
【００３４】
ソフト電源ＳＷ３００９は、押下することによりタッチパネル３０００のバックライトが消えて、この画像形成装置１００は省電力状態に移行する。節電キー３０１０が押下されると省電力状態に入り、再度、押下されると省電力状態から復帰する。調整キー３０１４は、タッチパネル３０００のコントラストを調整するのに使用される。カウンタ確認キー３０１５が押下されると、それまでに使用したコピー枚数の集計を表示するカウント画面がタッチパネル３０００に表示される。ＬＥＤ３０１６は、ジョブの実行中、画像メモリへの画像データの蓄積中等の際に点灯される。エラーＬＥＤ３０１７は、用紙のジャム、ドアオープン等の場合に点灯される。電源ＬＥＤ３０１８は、この画像形成装置１００のメインスイッチがＯＮになっているときに点灯する。
【００３５】
図４は、実施形態に係る画像形成装置１００が省電力状態に移行し、その省電力状態から復帰したときの処理を説明するフローチャートである。このフローチャートで示す処理に係るプログラムは、制御部１１０のＨＤＤ１１６にインストールされており、実行時にＣＰＵ１１１がそのプログラムをＲＡＭ１１２に展開して実行することにより、この処理が実現される。
【００３６】
この処理は、例えば画像形成装置１００の電源がオンされることにより開始され、先ずＳ４０１で、スタンバイモード状態となる。次にＳ４０２に進みＣＰＵ１１１は、予め設定されているスリープ状態（省電力状態）への移行条件を満たしたかどうかを判定する。尚、この判定処理は、一定時間間隔で実行される。Ｓ４０２でＣＰＵ１１１がスリープ状態への移行条件を満足したと判定した場合はＳ４０３に進む。Ｓ４０３でＣＰＵ１１１は、手差し用紙検知センサ１３６、前ドア開閉センサ１３５による検知状態及び、手差し給紙部１３４に載置されている用紙の用紙サイズを取得してＨＤＤ１１６に記憶する。そしてＳ４０４に進みＣＰＵ１１１は、この画像形成装置１００をスリープ状態へ移行し、Ｓ４０５でスリープ状態から復帰する割り込み信号がＣＰＵ１１１に入力されるまで、スリープ状態となる。このスリープ状態でＣＰＵ１１１は、スイッチ１４２をオフにして各部への電力供給を停止し、省電力状態に移行する。
【００３７】
Ｓ４０５でＣＰＵ１１１がスリープ状態から復帰するための割り込み信号を検出したかどうかを判定し、割り込み信号を検出するとＳ４０６に進み、ＣＰＵ１１１は、スリープ状態からの復帰動作を行う。次にＳ４０７に進みＣＰＵ１１１は、そのスリープ状態からの復帰要因がプリンタ部１３０からの信号によるものかどうかを判定する。ここでスリープ状態からの復帰要因がプリンタ部１３０からの信号によるものでないと判定するとこの処理を終了する。一方、プリンタ部１３０からの信号、即ち、図１の論理和回路１５１からの入力によるものと判定するとＳ４０８に進む。Ｓ４０８でＣＰＵ１１１は、プリンタ制御部１３１から現在の手差し用紙検知センサ１３６、前ドア開閉センサ１３５の状態及び手差し給紙部１３４に載置されている用紙のサイズを取得する。
【００３８】
次にＳ４０９に進みＣＰＵ１１１は、Ｓ４０８で取得した手差し用紙のサイズと、Ｓ４０３でＨＤＤ１１６に保存したスリープ状態に移行する前の用紙サイズとを比較する。ここでＣＰＵ１１１が、これら用紙サイズが一致すると判定したときはＳ４１０に処理を進めるが、そうでないときはＳ４１２に処理を進める。Ｓ４１２でＣＰＵ１１１は、スリープ状態からの復帰は、手差し用紙の用紙サイズの変更によるものと判定して、手差し用紙の用紙設定登録画面をタッチパネル３０００に表示して、この処理を終了する。
【００３９】
一方Ｓ４０９でＣＰＵ１１１が、手差し用紙のサイズが変化していないと判定した場合はＳ４１０に進む。Ｓ４１０でＣＰＵ１１１は、Ｓ４０８で取得した手差し用紙検知センサ１３６以外のセンサ、例えば前ドア開閉センサ１３５の状態がスリープ状態に移行する前と、スリープ状態から復帰した後とで変化していないかどうか判定する。Ｓ４１０でＣＰＵ１１１が、手差し用紙検知センサ１３６以外のセンサの検知状態が変化していると判定すると、このスリープ状態から復帰は、手差し給紙部１３４の用紙設定等に関連した要因によるものではない。従って、この場合は、手差し用紙の用紙設定登録画面を表示することなく、この処理を終了する。
【００４０】
一方Ｓ４１０でＣＰＵ１１１が、手差し用紙検知センサ１３６の状態が変化していると判定するとＳ４１１に進む。Ｓ４１１でＣＰＵ１１１は、手差し用紙検知センサ１３６の状態がスリープ状態に移行する前と、スリープ状態から復帰した後で「用紙無しから用紙有り」、又は「用紙有りから用紙無し」に変化しているかどうかを判定する。Ｓ４１１でＣＰＵ１１１が変化していると判定した場合はＳ４１２に進み、ＣＰＵ１１１は、手差し用紙の変更が要因であるスリープ状態からの復帰であると推定できるため、手差し用紙の用紙設定登録画面を表示して、この処理を終了する。尚、Ｓ４１１でＣＰＵ１１１が、手差し用紙検知センサ１３６の状態が変改していないと判定すると、このまま処理を終了する。
【００４１】
図５は、図４のＳ４１２で操作部１２６のタッチパネル３０００に表示される手差し用紙の用紙設定登録画面の一例を示す図である。
【００４２】
この手差し用紙の用紙設定登録画面では、手差し給紙部１３４に載置されている用紙の用紙サイズ、用紙の種類を設定する。ここでは「定型サイズ」、「封筒」、「はがき」のボタンと、ユーザが任意の用紙サイズを設定するための「ユーザ定義」ボタン５００１を備える。また手差し給紙部１３４に載置されている用紙のタイプを変更するための変更ボタン５００２を備えている。それぞれのボタンが押下されたときの処理の説明は省略する。ユーザは、これらボタンを操作して、所望の用紙サイズ、用紙タイプを選択した後、ＯＫボタン５００３を押下することによって手差し用紙の設定登録を完了する。
【００４３】
上述の制御を行うことで、プリンタ部１３０からの信号によりスリープ状態から復帰した場合、その詳細な復帰要因が不明の場合であっても、スリープ状態での手差し用紙の変更によるものかどうかを判定し、手差し用紙の設定登録画面の表示が可能になる。
【００４４】
これにより、スリープ状態の間に、ユーザが画像形成装置１００の手差し用紙を変更した場合に、その変更した用紙が手差し用紙として設定されないことによる課題の発生を防止できる。
【００４５】
以上説明したように本実施形態によれば、スリープ状態からの復帰要因のセンサ信号が論理和で入力されるために、手差しトレイの用紙検知によるスリープ状態からの復帰である判定できない場合に、手差しトレイの用紙検知による復帰であると推定できる。そして、手差しトレイの用紙検知による復帰であると推定すると、手差しの用紙の用紙設定画面を操作部の表示部に表示させる。これにより、スリープ状態で手差しトレイの用紙が変更された場合でも、スリープ状態から復帰したときにユーザによる手差しトレイの用紙設定を促すことができる。このため印刷ジョブが意図しない手差しトレイから給紙された用紙に印刷するといった事態の発生を防止できる。
【００４６】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015041877.tif 000003
【図２】
2015041877.tif 000004
【図３】
2015041877.tif 000005
【図４】
2015041877.tif 000006
【図５】
2015041877.tif 000007